(57)【特許請求の範囲】
【請求項１】
主管部と、
前記主管部から分岐した分岐管部と、
を備えた継手であって、
前記継手の管路内には、流路を区画する仕切部が設けられ、
前記継手の内壁面と前記仕切部とにより、前記主管部内で前記主管部の第１管端側から前記主管部の第２管端側へ流体を導く主流路と、前記第１管端側からの流体のうち前記主流路に入らなかった流体を前記分岐管部の先端側へ導く第１分岐流路と、前記分岐管部の先端側からの流体を前記主流路からの流体と合流させる第２分岐流路とが、それぞれ区画され、
前記第１分岐流路は、その少なくとも一部分で、その断面積が前記分岐管部の先端側に向かうにつれて徐々に減少されており、
前記分岐管部の管軸線を含むとともに前記主管部の管軸線に平行な仮想平面に沿う断面において、
前記仕切部における、前記第１分岐流路を区画する壁面が、前記第２管端側に向けて凸に湾曲しており、
前記仕切部は、前記分岐管部の先端側に突出するとともに湾曲しているコーナ部を有していることを特徴とする、継手。
【請求項２】
前記第１分岐流路の出口の断面積が、前記第１分岐流路の入口の断面積の０．４〜０．５倍である、請求項１に記載の継手。
【請求項３】
前記主流路の入口の断面積と前記第１分岐流路の入口の断面積との和に対する、前記第１分岐流路の入口の断面積の割合が、４０〜８０％である、請求項１又は２に記載の継手。
【請求項４】
前記分岐管部の管軸線を含むとともに前記主管部の管軸線に平行な仮想平面に沿う断面において、前記分岐管部の管軸線に対して前記第１管端側にある前記分岐管部の内壁面が、前記分岐管部の管軸線に対して傾斜している部分を有する、請求項１〜３のいずれか一項に記載の継手。
【発明の詳細な説明】
【技術分野】
【０００１】
この発明は、例えば水道水等の給水配管とスプリンクラヘッドとが接続される、継手に関するものである。
【背景技術】
【０００２】
従来の継手として、両側の管端に水道水の給水配管が接続される主管部（接続管部）と、主管部から直交方向に分岐した分岐管部（取付管部）と、を備え、分岐管部の先端部はスプリンクラヘッドが取り付けられるように構成され、分岐管部内には主管部の流路に直交する向きに延在する停滞水防止板が設けられたものが、知られている（例えば、特許文献１）。仮に、分岐管部内で水が長期にわたり停滞してしまうと、この停滞した水が主管部を介して水道水の給水配管へ流れ出た場合に、衛生上好ましくない。そこで、特許文献１では、停滞水防止板を設けることにより、給水時において主管部から分岐管部内に流れる水が停滞水防止板の周囲を回って主管部内へと流れるので、分岐管部内における水の停滞が抑制される、としている。
【先行技術文献】
【特許文献】
【０００３】
【特許文献１】特開２０１２−１５４４７９号公報
【発明の概要】
【発明が解決しようとする課題】
【０００４】
しかしながら、上述した従来の構成では、特に給水時の水の流量が少ない場合に、分岐管部内における水の停滞を十分に抑制できず、水の停滞抑制作用に関して改善の余地があった。
【０００５】
この発明は、上述した課題を解決するためのものであり、分岐管部内での水の停滞を効果的に抑制できる、継手を提供することを目的とするものである。
【課題を解決するための手段】
【０００６】
この発明の継手は、主管部と、前記主管部から分岐した分岐管部と、を備えた継手であって、前記継手の管路内には、流路を区画する仕切部が設けられ、前記継手の内壁面と前記仕切部とにより、前記主管部内で前記主管部の第１管端側から前記主管部の第２管端側へ流体を導く主流路と、前記第１管端側からの流体のうち前記主流路に入らなかった流体を前記分岐管部の先端側へ導く第１分岐流路と、前記分岐管部の先端側からの流体を前記主流路からの流体と合流させる第２分岐流路とが、それぞれ区画され、前記第１分岐流路は、その少なくとも一部分で、その断面積が前記分岐管部の先端側に向かうにつれて徐々に減少されていることを特徴とする。
本発明の継手によれば、分岐管部内での水の停滞を効果的に抑制できる。
【０００７】
本発明の継手では、前記第１分岐流路の出口の断面積が、前記第１分岐流路の入口の断面積の０．４〜０．５倍であることが好適である。これによれば、分岐管部内での水の停滞をさらに効果的に抑制できる。
【０００８】
本発明の継手では、前記主流路の入口の断面積と前記第１分岐流路の入口の断面積との和に対する、前記第１分岐流路の入口の断面積の割合が、４０〜８０％であることが好適である。これによれば、分岐管部内での水の停滞を効果的に抑制しつつ、継手の圧力損失を十分低く抑えることができる。
【０００９】
本発明の継手では、前記分岐管部の管軸線を含むとともに前記主管部の管軸線に平行な仮想平面に沿う断面において、前記分岐管部の管軸線に対して前記第１管端側にある前記分岐管部の内壁面が、前記分岐管部の管軸線に対して傾斜している部分を有することが、好適である。これによれば、分岐管部内での水の停滞をさらに効果的に抑制できる。
【発明の効果】
【００１０】
この発明によれば、分岐管部内での水の停滞を効果的に抑制できる、継手を提供することができる。
【図面の簡単な説明】
【００１１】
【図１】この発明の継手の一実施形態を示す斜視図である。
【図２】図１の継手を示す、主管部の管軸線と分岐管部の管軸線とを含む仮想平面に沿う断面斜視図である。
【図３】図１の継手を示す、主管部の管軸線と分岐管部の管軸線とを含む仮想平面に沿う断面図である。
【発明を実施するための形態】
【００１２】
以下に、図面を参照しつつ、この発明に係る継手の実施形態を例示説明する。
【００１３】
図１〜図３は、この発明の継手の一実施形態を示している。図１は、本実施形態の継手１を示す斜視図である。本実施形態の継手１は、上流側の水道本管と下流側末端の給水栓等との間を繋ぐ水道水の給水配管（図示せず）と、スプリンクラヘッド５０とに、接続されるように構成されている。これにより、継手１が水道水の給水配管とスプリンクラヘッド５０とに接続された状態において、継手１は水道水の給水に使用されるとともに、火災時等の非常時には、水道水が、継手１を介してスプリンクラヘッド５０に取り込まれて、スプリンクラヘッド５０から外部へ噴射される。
【００１４】
本例の継手１は、略Ｔ字形に構成されている。より具体的に、継手１は、まっすぐに延在し、内壁面（内周面）により管路を形成する、主管部１０と、主管部１０の中間部分から分岐して主管部１０の管軸線Ｃ１に対して略垂直に延在し、内壁面（内周面）により管路を形成する、分岐管部２０と、を備えている。
【００１５】
図２は、継手１を示す、分岐管部２０の管軸線Ｃ２を含むとともに主管部１０の管軸線Ｃ１に平行な第１仮想平面に沿う断面斜視図であり、図３は、継手１を示す、第１仮想平面に沿う断面図である。図２及び図３に示すように、継手１の管路内には、流路を区画する仕切部３０が設けられている。
本例では、主管部１０、分岐管部２０、及び仕切部３０が、鋳型の中に中子を入れて砲金を流し込む鋳造工程を経て、一体成型されている。ただし、主管部１０、分岐管部２０、及び仕切部３０は、それぞれ、別部材で構成されていてもよく、また、砲金以外の金属や樹脂等、任意の材料からなるものでもよい。
【００１６】
本例において、継手１は、さらに、主管部１０の両側の管端部にそれぞれ対応する外周側に配置された、外周側部材４０を備えており、主管部１０の管軸線Ｃ１方向両側において、主管部１０の管端部とその外周側に設けられた外周側部材４０とが、配管接続口１１、１２を構成している。本例の配管接続口１１、１２は、主管部１０の管端部とその外周側の外周側部材４０との間に形成された環状の挿入空間４１に、例えばポリブテン製パイプ等からなる水道水の給水配管（図示せず）が、挿入されて接続されるように、構成されている。
【００１７】
本例の継手１は、主管部１０の管軸線Ｃ１に対して垂直であるとともに分岐管部２０の管軸線Ｃ２を含む第２仮想平面に対して対称（すなわち、図３における左右に対称）に構成されており、これにより、２つの配管接続口１１、１２のうちいずれを上流側の給水配管と接続しても、同じ継手１の作用を得ることができるので、良好な継手１の施工性が得られる。
なお、以下では、説明の便宜のために、主管部１０の第１管端１０ａ側の配管接続口１１に上流側の給水配管が接続され、主管部１０の第２管端１０ｂ側の配管接続口１２に下流側の給水配管が接続されるものとして、説明する。
また、本例の継手１は、分岐管部２０の管軸線Ｃ２を含むとともに主管部１０の管軸線Ｃ１に平行な第１仮想平面に対して対称（すなわち、図３における前後に対称）に構成されている。
【００１８】
ただし、本実施形態の継手１は、主管部１０が分岐管部２０との連結部分で屈曲又は湾曲された、略Ｙ字形に形成されてもよい。
また、配管接続口１１、１２は、外周側部材４０を有しなくてもよい。その場合、配管接続口１１、１２は、例えば、水道水の給水配管（図示せず）が主管部１０の両側の管端部の外周面又は内周面に、螺合や接着されて接続されるように、構成されてもよい。
【００１９】
図の例において、分岐管部２０の先端部（分岐管部２０のうち、主管部１０との連結部とは反対側の部分。）の内周面には、雌ねじ２０ａが形成されており、スプリンクラヘッド５０の外周面に形成された雄ねじ５０ａが螺合されるようになっている。スプリンクラヘッド５０は、火災時等の非常時のみ作動して、継手１内の水を分岐管部２０の先端２０ｂから取り込んで外部へ噴射するが、それ以外の通常時では作動せずに、止水する。
【００２０】
また、本例において、仕切部３０は、主管部１０の管軸線Ｃ１と分岐管部２０の管軸線Ｃ２とに垂直な方向（図３における紙面に対して垂直な方向。）の両側で、継手１の内壁面（より具体的に、本例では、主管部１０及び分岐管部２０の内壁面）と連結されている。また、本例では、仕切部３０の、分岐管部２０の管軸線Ｃ２を含むとともに主管部１０の管軸線Ｃ１に平行な第１仮想平面に平行な断面の形状が、略逆三角形であり、仕切部３０における第１仮想平面に対して垂直な方向（図３の前後方向。）のほぼ全長にわたって、同一形状である。
【００２１】
図の例では、仕切部３０が、主管部１０の管路と分岐管部２０の管路とに跨って配置されている。より具体的に、仕切部３０における、主流路ＭＦを区画する壁面は、主管部１０の管路内部に位置している。一方、仕切部３０における、分岐管部２０の先端２０ｂ側の端部は、分岐管部２０の管路内部における、雌ねじ２０ａよりも主管部１０側に位置している。
【００２２】
図２及び図３に示すように、本例では、分岐管部２０の管軸線Ｃ２を含むとともに主管部１０の管軸線Ｃ１に平行な第１仮想平面に沿う断面において、仕切部３０は、継手１の内壁面から離間されている。そして、継手１の内壁面と仕切部３０の壁面とにより、主管部１０内で主管部１０の第１管端１０ａ側から主管部１０の第２管端側１０ｂへ水を導く主流路ＭＦと、第１管端１０ａ側からの水のうち主流路ＭＦに入らなかった水を分岐管部２０の先端２０ｂ側へ導く第１分岐流路ＢＦ１と、分岐管部２０の先端２０ｂ側からの水を主流路ＭＦからの水と合流させる第２分岐流路ＢＦ２とが、それぞれ区画されている。
このような構成により、スプリンクラヘッド５０が作動していない間、配管末端の給水栓が開放されて給水が行われる際には、上流側の給水配管から主管部１０の第１管端１０ａに入った水の一部が、主流路ＭＦを流れて、第２管端１０ｂを出て下流側の給水配管へ流れる。一方、主流路ＭＦに入った水以外の水は、第１分岐流路ＢＦ１に入り、第１分岐流路ＢＦ１を出た後は、その一部の水が仕切部３０に沿って流れて第２分岐流路ＢＦ２に入り、残りの水は仕切部３０とスプリンクラヘッド５０との間の領域内にあった水を攪拌しつつ混ざりあうことで希釈した後、第２分岐流路ＢＦ２に入る。第２分岐流路ＢＦ２に入った水は、その後、主流路ＭＦから出た水と合流されて、主管部１０内で第２管端１０ｂに向けて流れる。
【００２３】
なお、本例では、仕切部３０における、分岐管部２０の先端２０ｂ側の端部が、分岐管部２０の管路内部における、雌ねじ２０ａよりも主管部１０側に位置しているため、第１分岐流路ＢＦ１を出た後の水の一部が、仕切部３０から剥離せずに、仕切部３０に沿って流れて、第２分岐流路ＢＦ２に入ることができるので、継手１の圧力損失を低く抑えることができる。
仮に、仕切部３０における、分岐管部２０の先端２０ｂ側の端部が、分岐管部２０の雌ねじ２０ａに対応する内周側に配置される場合、仕切部３０に沿って第１分岐流路ＢＦ１を流れた後の水が仕切部３０に沿って流れず、第２分岐流路ＢＦ２に向かって流れにくくなるおそれがあるので、好ましくない。
【００２４】
図の例において、分岐管部２０の内壁面は、分岐管部２０の付け根部（主管部１０との連結部。）から雌ねじ２０ａの手前までにわたって、略円錐台状に形成されており、すなわち、分岐管部２０の先端２０ｂ側に向かうにつれて連続的に縮径されている。
そして、分岐管部２０の管軸線Ｃ２を含むとともに主管部１０の管軸線Ｃ１に平行な第１仮想平面に沿う断面において、分岐管部２０の管軸線Ｃ２に対して第１管端１０ａ側にある分岐管部２０の内壁面は、分岐管部２０の管軸線Ｃ２に対して傾斜している部分を有している。これにより、第１分岐流路ＢＦ１から分岐管部２０の先端２０ｂ側へ流れる水の流れを、分岐管部２０の管軸線Ｃ２に対して斜めに向けることができるので、第１分岐流路ＢＦ１から出た水による、分岐管部２０内での水を撹拌する作用と、混ざり合うことによる希釈する作用とを、向上させ、分岐管部２０内での水の停滞をより効果的に抑制できる。
なお、第１仮想平面に沿う断面において、分岐管部２０の管軸線Ｃ２に対して第１管端１０ａ側にある分岐管部２０の内周面の、分岐管部２０の管軸線Ｃ２に対して傾斜している部分は、その分岐管部２０の管軸線Ｃ２に対する鋭角側の傾斜角度が、０度よりも大きく２５度以下であることが好ましく、図３の例では、１５度である。
【００２５】
本実施形態において、第１分岐流路ＢＦ１を流れる水の流速は、第１分岐流路ＢＦ１の少なくとも一部分（図の例では全部）で、その断面積が分岐管部２０の先端２０ｂ側に向かうにつれて徐々に減少されるのに伴って徐々に速まる。したがって、例えば第１分岐流路ＢＦ１の断面積がその全長にわたって一定である場合に比べて、第１分岐流路ＢＦ１から出た水の水勢が増す。これにより、第１分岐流路ＢＦ１から出た水による、分岐管部２０内での水を撹拌する作用と、混ざり合うことによる希釈する作用とを、向上させ、分岐管部２０内での水の停滞をより効果的に抑制できる。
【００２６】
ここで、本明細書において、「徐々に」とは、途中で一定になったり、段階的に変化することなく、連続的に変化することを指す。
また、本明細書において、主流路ＭＦ、第１分岐流路ＢＦ１、及び第２分岐流路ＢＦ２のそれぞれについて、「流路の断面積」とは、分岐管部２０の管軸線Ｃ２を含むとともに主管部１０の管軸線Ｃ１に平行な第１仮想平面に沿う断面における、該流路の中心線に対して、垂直な仮想平面に沿う、該流路の断面の面積を指す。なお、「第１仮想平面に沿う断面における、該流路の中心線」とは、第１仮想平面に沿う断面において、該流路を区画する継手１の内壁面と仕切部３０の壁面とから等間隔の位置を延在する仮想線を指す。
【００２７】
なお、図の例では、分岐管部２０の管軸線Ｃ２を含むとともに主管部１０の管軸線Ｃ１に平行な第１仮想平面に沿う断面において、第１分岐流路ＢＦ１を区画する、継手１の内壁面と仕切部３０の壁面との間隔が、分岐管部２０の先端２０ｂ側に向かうにつれて、徐々に狭くされている。
ただし、第１分岐流路ＢＦ１が、その少なくとも一部分で、その断面積が分岐管部２０の先端２０ｂ側に向かうにつれて徐々に減少される限り、第１仮想平面に沿う断面において、第１分岐流路ＢＦ１を区画する、継手１の内壁面と仕切部３０の壁面との間隔は、分岐管部２０の先端２０ｂ側に向かうにつれて、一定にされてもよいし、あるいは、任意の態様で変化してもよい。
【００２８】
本例では、第１仮想平面に沿う断面において、略逆三角形の仕切部３０における、３つのコーナ部（すなわち、第１管端１０ａ側に突出するコーナ部、第２管端１０ｂ側に突出するコーナ部、及び分岐管部２０の先端２０ｂ側に突出するコーナ部）が、いずれも、尖っておらず、緩やかに湾曲している（アールが付けられている）。これにより、主流方向の流れにおける乱流の発生を抑制し、継手１の圧力損失を抑制することが出来る。また、継手１を鋳造等の成形法により生産する際に、仕切部３０のコーナ部に欠肉等の欠陥の発生を抑制することができ、生産性を向上することが出来る。
【００２９】
なお、第１分岐流路ＢＦ１の出口の断面積が、第１分岐流路ＢＦ１の入口の断面積の０．４〜０．５倍であると、好適である。これによれば、第１分岐流路ＢＦ１から出た水による、分岐管部２０内での水を撹拌する作用と、混ざり合うことによる希釈する作用とを、向上させ、分岐管部２０内での水の停滞をさらに効果的に抑制できる。
ここで、「第１分岐流路ＢＦ１の入口の断面積」は、分岐管部２０の管軸線Ｃ２を含むとともに主管部１０の管軸線Ｃ１に平行な第１仮想平面に沿う断面における、第１分岐流路ＢＦ１の中心線に対して、垂直な仮想平面に沿う、第１分岐流路ＢＦ１の断面のうち、仕切部３０における、第１管端１０ａ側に突出するコーナ部を区画する、第１管端１０ａ側に凸に湾曲した壁面（アール）の、分岐管部２０の先端２０ｂ側の端を通る断面Ｓ１の、面積を指す。なお、第１仮想平面に沿う断面において、「仕切部３０における、第１管端１０ａ側に突出するコーナ部を区画する、第１管端１０ａ側に凸に湾曲した壁面（アール）の、分岐管部２０の先端２０ｂ側の端」とは、仕切部３０のうち、第１管端１０ａ側に突出するコーナ部よりも分岐管部２０の先端２０ｂ側の部分において、第１分岐流路ＢＦ１を区画する壁面が、図３の例のように第２管端１０ｂ側に向けて凸に湾曲している場合は、上記第１管端１０ａ側に凸に湾曲した壁面と上記第２管端１０ｂ側に凸に湾曲した壁面との間の変曲点を指す。一方、第１仮想平面に沿う断面において、仕切部３０のうち、第１管端１０ａ側に突出するコーナ部よりも分岐管部２０の先端２０ｂ側の部分で、第１分岐流路ＢＦ１を区画する壁面が、直線状に延在している場合は、上記第１管端１０ａ側に凸に湾曲した壁面と上記直線状に延在する壁面との連結点を指す。
また、「第１分岐流路ＢＦ１の出口の断面積」は、第１仮想平面に沿う断面における、第１分岐流路ＢＦ１の中心線に対して、垂直な仮想平面に沿う、第１分岐流路ＢＦ１の断面のうち、最小の断面Ｓ２の、面積を指す。
【００３０】
また、主流路ＭＦの入口の断面積と第１分岐流路ＢＦ１の入口の断面積との和に対する、第１分岐流路ＢＦ１の入口の断面積の割合が、４０〜８０％であると、好適である。これによれば、分岐管部２０内での水の停滞をより効果的に抑制しつつ、継手１の圧力損失を十分低く抑えることができる。なお、継手１の圧力損失を低く抑えることにより、配管の自由度を向上できるので、例えば給水配管に多数の継手１を接続する場合に特に有利である。
なお、主流路ＭＦの入口の断面積と第１分岐流路ＢＦ１の入口の断面積との和に対する、第１分岐流路ＢＦ１の入口の断面積の割合が、４０％未満である場合、主流路ＭＦを流れる水の流量が増える分、継手１の圧力損失を低くすることができるものの、第１分岐流路ＢＦ１内に流れる水の流量ひいては流速を十分高めることができないことから、分岐管部２０内での水の停滞を十分に抑制できないおそれがある。一方、主流路ＭＦの入口の断面積と第１分岐流路ＢＦ１の入口の断面積との和に対する、第１分岐流路ＢＦ１の入口の断面積の割合が、８０％を超える場合、第１分岐流路ＢＦ１内に流れる水の流量ひいては流速を十分に高められる分、分岐管部２０内での水の停滞を効果的に抑制できるものの、主流路ＭＦへ流れずに仕切部３０の壁面に当たりながら第１分岐流路ＢＦ１内を流れる水の流量が増える分、継手１の圧力損失が過度に高くなり得る。
図の例では、主流路ＭＦの入口の断面積と第１分岐流路ＢＦ１の入口の断面積との和に対する、第１分岐流路ＢＦ１の入口の断面積の割合が、約４２．６％である。
ここで、「主流路ＭＦの入口の断面積」は、分岐管部２０の管軸線Ｃ２を含むとともに主管部１０の管軸線Ｃ１に平行な第１仮想平面に沿う断面における、主流路ＭＦの中心線に対して、垂直な仮想平面に沿う、主流路ＭＦの断面のうち、仕切部３０における、第１管端１０ａ側に突出するコーナ部を区画する、第１管端１０ａ側に凸に湾曲した壁面（アール）の、第２管端１０ｂ側の端を通る断面Ｓ３の、面積を指す。
【００３１】
本例のように、分岐管部２０の管軸線Ｃ２を含むとともに主管部１０の管軸線Ｃ１に平行な第１仮想平面に沿う断面において、仕切部３０における、第１分岐流路ＢＦ１のうち少なくとも入口側の一部分（図の例では、第１分岐流路ＢＦ１の全部）を区画する壁面の接線が、分岐管部２０の管軸線Ｃ２の方向に対して第１管端１０ａ側に向けて傾斜していると、好適である。この構成により、例えば、第１仮想平面に沿う断面において、仕切部３０における第１分岐流路ＢＦ１を区画する壁面の接線が、分岐管部２０の管軸線Ｃ２の方向と平行である場合に比べて、第１管端１０ａからの水が仕切部３０の壁面に沿いながら第１分岐流路ＢＦ１内を流れることによる、水の流速低下を抑制することができる。これにより、分岐管部２０内での水の停滞をより効果的に抑制できる。
また、第１分岐流路ＢＦ１から分岐管部２０の先端２０ｂ側に向かって、分岐管部２０の管軸線Ｃ２に対して傾斜して水が進入するため、分岐管部２０内の水を効果的に撹拌ひいては希釈することが出来る。
ここで、「第１仮想平面に沿う断面において、仕切部３０における、第１分岐流路ＢＦ１のうち少なくとも第１分岐流路ＢＦ１の入口側の一部分を区画する壁面の接線が、分岐管部２０の管軸線Ｃ２の方向に対して第１管端１０ａ側に向けて傾斜している」とは、第１仮想平面に沿う断面において、仕切部３０における第１分岐流路ＢＦ１のうち少なくとも入口側の一部分を区画する壁面上の任意の点から主流路ＭＦ側に引いた接線方向の線分が、該点を通る分岐管部２０の管軸線Ｃ２方向の直線に対して、第１管端１０ａ側に傾いていることを指している。
【００３２】
また、本例のように、第１仮想平面に沿う断面において、仕切部３０における、第１分岐流路ＢＦ１のうち少なくとも一部分（図の例では、第１分岐流路ＢＦ１の全部）を区画する壁面の接線と分岐管部２０の管軸線Ｃ２の方向との鋭角側のなす角度θ１が、分岐管部２０の先端２０ｂ側に向かうにつれて徐々に小さくなることが、好適である。この構成によれば、例えば、上記なす角度θ１が分岐管部２０の先端２０ｂ側に向かうにつれて一定である場合（すなわち、仕切部３０における第１分岐流路ＢＦ１を区画する壁面が、まっすぐ延在する場合）に比べて、第１管端１０ａからの水が仕切部３０の壁面に沿いながら第１分岐流路ＢＦ１内を流れることによる、水の流速低下を抑制することができる。これにより、分岐管部２０内での水の停滞をより効果的に抑制できる。
【００３３】
また、本例のように、第１仮想平面に沿う断面において、仕切部３０における、第１分岐流路ＢＦ１のうち少なくとも一部分（図３の例では、第１分岐流路ＢＦ１のうちの大部分）を区画する壁面が、第２管端１０ｂ側に向けて凸に湾曲していることが、好適である。この構成によれば、例えば、第１仮想平面に沿う断面において、仕切部３０における第１分岐流路ＢＦ１を区画する壁面がまっすぐ延在している場合に比べて、第１管端１０ａからの水が仕切部３０の壁面に沿いながら第１分岐流路ＢＦ１内を流れることによる、水の流速低下を抑制することができる。
また、第１仮想平面に沿う断面において、仕切部３０における、第１分岐流路ＢＦ１のうち少なくとも一部分を区画する壁面が、クロソイド曲線等の緩和曲線状に、第２管端１０ｂ側に向けて凸に湾曲していると、さらに好適である。これにより、第１管端１０ａからの水が仕切部３０の壁面へ当たることを抑制することが出来る。したがって、第１分岐流路ＢＦ１内を流れる水の、水勢の低下を抑制しつつ、主管部１０の管軸線Ｃ１に沿う方向から分岐管部２０の管軸線Ｃ２に沿う方向へと水の流れを滑らかに変化させることが出来る。
【００３４】
また、図の例のように、分岐管部２０の管軸線Ｃ２を含むとともに主管部１０の管軸線Ｃ１に平行な第１仮想平面に沿う断面において、第２分岐流路ＢＦ２のうち少なくとも出口側の一部分（図の例では、第２分岐流路ＢＦ２の全部）を区画する、仕切部３０の壁面の接線が、分岐管部２０の管軸線Ｃ２の方向に対して第２管端１０ｂ側に向けて傾斜していることが、好適である。この構成により、第２分岐流路ＢＦ２から出た水が主流路ＭＦから出た水と合流する際の、水の流速低下を抑制することができ、ひいては、継手１の圧力損失を低減できる。
ここで、「第１仮想平面に沿う断面において、仕切部３０における、第２分岐流路ＢＦ２のうち少なくとも出口側の一部分を区画する壁面の接線が、分岐管部２０の管軸線Ｃ２の方向に対して第２管端１０ｂ側に向けて傾斜している」とは、第１仮想平面に沿う断面において、仕切部３０における第２分岐流路ＢＦ２のうち少なくとも出口側の一部分を区画する壁面上の任意の点から主流路ＭＦ側に引いた接線方向の線分が、該点を通る分岐管部２０の管軸線Ｃ２方向の直線に対して、第２管端１０ｂ側に傾いていることを指している。
さらに、この場合、図の例のように、第１仮想平面に沿う断面において、仕切部３０における主流路ＭＦの少なくとも一部分を区画する壁面が、まっすぐに延在していることが、好適である。この構成により、第２分岐流路ＢＦ２から出た水が主流路ＭＦから出た水と合流する際の、水の流速低下をさらに抑制することができる。なお、図の例では、第１仮想平面に沿う断面において、仕切部３０における主流路ＭＦの大部分を区画する壁面が、主管部１０の管軸線Ｃ１に対して略平行に延在している。
【００３５】
本例のように、第１仮想平面に沿う断面において、仕切部３０における、第２分岐流路ＢＦ２のうち少なくとも一部分（図の例では、第２分岐流路ＢＦ２の全部）を区画する壁面の接線と分岐管部２０の管軸線Ｃ２の方向との鋭角側のなす角度θ２が、分岐管部２０の先端２０ｂ側に向かうにつれて徐々に小さくなると、好適である。これにより、継手１の圧力損失を低減させることができる。
【００３６】
本例のように、第１仮想平面に沿う断面において、仕切部３０における、第２分岐流路ＢＦ２のうち少なくとも一部分（図３の例では、第２分岐流路ＢＦ２のうちの大部分）を区画する壁面が、第１管端１０ａ側に向けて凸に湾曲していると、好適である。これにより、継手１の圧力損失を低減させることができる。
【００３７】
ただし、第１仮想平面に沿う断面における、仕切部３０の形状は、本例のもの以外の、任意の形状が可能である。例えば、第１仮想平面に沿う断面において、仕切部３０における、第１分岐流路ＢＦ１や第２分岐流路ＢＦ２を区画する壁面は、湾曲する代わりに、まっすぐ延在してもよいし、１箇所以上で屈曲してもよい。
【００３８】
また、第１仮想平面に沿う断面において、略逆三角形の仕切部３０における、３つのコーナ部（すなわち、第１管端１０ａ側に突出するコーナ部、第２管端１０ｂ側に突出するコーナ部、及び分岐管部２０の先端２０ｂ側に突出するコーナ部）のうちの少なくとも１つが、アールのない、尖った形状を有していてもよい。
なお、第１仮想平面に沿う断面において、仕切部３０における、第１管端１０ａ側に突出するコーナ部が、アールのない、尖った形状を有する場合、上述した「第１分岐流路ＢＦ１の入口の断面積」とは、第１仮想平面に沿う断面における、第１分岐流路ＢＦ１の中心線に対して、垂直な仮想平面に沿う、第１分岐流路ＢＦ１の断面のうち、仕切部３０における、第１管端１０ａ側に突出するコーナ部の、尖った突出先端を通る断面Ｓ１の、面積を指す。また、この場合、上述した「主流路ＭＦの入口の断面積」は、第１仮想平面に沿う断面における、主流路ＭＦの中心線に対して、垂直な仮想平面に沿う、主流路ＭＦの断面のうち、仕切部３０における、第１管端１０ａ側に突出するコーナ部の、尖った突出先端を通る断面Ｓ３の、面積を指す。
また、第１仮想平面に沿う断面において、仕切部３０における、分岐管部２０の先端２０ｂ側に突出するコーナ部が、アールのない、尖った形状を有する場合、上述した「第１分岐流路ＢＦ１の出口の断面積」とは、第１仮想平面に沿う断面における、第１分岐流路ＢＦ１の中心線に対して、垂直な仮想平面に沿う、第１分岐流路ＢＦ１の断面のうち、分岐管部２０の先端２０ｂ側に突出するコーナ部の、尖った突出先端を通る断面Ｓ２の、面積を指す。
【００３９】
なお、本発明の継手は、水以外の任意の流体の配管に使用できる。また、本発明の継手の分岐管部には、スプリンクラヘッド以外の、少なくとも一時的に流体の流通を阻止可能な任意の部材が取り付けられてもよい。
【産業上の利用可能性】
【００４０】
本発明による継手は、例えば水道水の給水配管とスプリンクラヘッドとが接続される、継手に利用できる。
【符号の説明】
【００４１】
１：継手、  １０：主管部、  １０ａ：主管部の第１管端、  １０ｂ：主管部の第２管端、  １１、１２：配管接続口、  ２０：分岐管部、  ２０ａ：雌ねじ、  ２０ｂ：分岐管部の先端、  ３０：仕切部、  ４０：外周側部材、  ４１：挿入空間、  ５０：スプリンクラヘッド、  ５０ａ：雄ねじ、  ＭＦ：主流路、  ＢＦ１：第１分岐流路、  ＢＦ２：第２分岐流路、  Ｃ１：主管部の管軸線、  Ｃ２：分岐管部の管軸線
【図１】
0006450182.tif 000002
【図２】
0006450182.tif 000003
【図３】
0006450182.tif 000004